(57)【特許請求の範囲】
【請求項１】
医用画像の撮影もしくは読み取りの操作に対応できるキー表示を行う表示手段と、
前記撮影もしくは読み取りの操作に基づいて医用画像の撮影もしくは読み取りを制御すると共に、前記表示手段でのキー表示を制御する制御手段と、
前記制御手段の制御に基づいて医用画像の撮影もしくは読み取りを実行する実行手段とを備え、
前記制御手段は、撮影部位のグループ毎にキー表示の表示色を変更する制御を実行する、
ことを特徴とする医用画像読取装置。
【請求項２】
医用画像の撮影もしくは読み取りの操作に対応できるキー表示を行う表示手段と、
前記撮影もしくは読み取りの操作に基づいて医用画像の撮影もしくは読み取りを制御すると共に、前記表示手段でのキー表示を制御する制御手段と、
前記制御手段の制御に基づいて医用画像の撮影もしくは読み取りを実行する実行手段とを備え、
前記制御手段は、読取リーダ毎にキー表示の表示色を変更する制御を実行する、
ことを特徴とする医用画像読取装置。
【請求項３】
医用画像の撮影もしくは読み取りの操作に対応できるキー表示を行う表示手段と、
前記撮影もしくは読み取りの操作に基づいて医用画像の撮影もしくは読み取りを制御すると共に、前記表示手段でのキー表示を制御する制御手段と、
前記制御手段の制御に基づいて医用画像の撮影もしくは読み取りを実行する実行手段とを備え、
前記制御手段は、撮影頻度毎にキー表示の表示色を変更する制御を実行する、
ことを特徴とする医用画像読取装置。
【請求項４】
医用画像の撮影もしくは読み取りに関する操作のキー入力を検知する検知手段と、
前記検知手段のキー入力に対応させてキー表示を行う表示手段と、
前記キー入力に基づいて医用画像の撮影もしくは読み取りを制御すると共に、前記表示手段でのキー表示を制御する制御手段と、
前記制御手段の制御に基づいて医用画像の撮影もしくは読み取りを実行する実行手段とを備え、
前記制御手段は、撮影部位のグループ毎にキー表示の表示色を変更する制御を実行する、
ことを特徴とする医用画像読取装置。
【請求項５】
医用画像の撮影もしくは読み取りに関する操作のキー入力を検知する検知手段と、
前記検知手段のキー入力に対応させてキー表示を行う表示手段と、
前記キー入力に基づいて医用画像の撮影もしくは読み取りを制御すると共に、前記表示手段でのキー表示を制御する制御手段と、
前記制御手段の制御に基づいて医用画像の撮影もしくは読み取りを実行する実行手段とを備え、
前記制御手段は、読取リーダ毎にキー表示の表示色を変更する制御を実行する、
ことを特徴とする医用画像読取装置。
【請求項６】
医用画像の撮影もしくは読み取りに関する操作のキー入力を検知する検知手段と、
前記検知手段のキー入力に対応させてキー表示を行う表示手段と、
前記キー入力に基づいて医用画像の撮影もしくは読み取りを制御すると共に、前記表示手段でのキー表示を制御する制御手段と、
前記制御手段の制御に基づいて医用画像の撮影もしくは読み取りを実行する実行手段とを備え、
前記制御手段は、撮影頻度毎にキー表示の表示色を変更する制御を実行する、
ことを特徴とする医用画像読取装置。
【請求項７】
前記制御手段は、所定の期間における前記撮影頻度を定期的に算出し、キー表示色の変更の制御を実行する、
ことを特徴とする請求項６記載の医用画像読取装置。
【請求項８】
前記制御手段は、所定の月、週、曜日、時間帯毎に前記撮影頻度を定期的に算出し、所定の月、週、曜日、時間帯毎にキー表示色の変更の制御を実行する、
ことを特徴とする請求項７記載の医用画像読取装置。
【請求項９】
医用画像の撮影もしくは読み取りに関する操作のキー入力を検知する検知手段と、
前記検知手段のキー入力に対応させてキー表示を行う表示手段と、
前記キー入力に基づいて医用画像の撮影もしくは読み取りを制御すると共に、前記表示手段でのキー表示を制御する制御手段と、
前記制御手段の制御に基づいて医用画像の撮影もしくは読み取りを実行する実行手段とを備え、
前記制御手段は、撮影頻度毎にキー表示の配置を変更する制御を実行する、
ことを特徴とする医用画像読取装置。
【請求項１０】
前記制御手段は、所定の期間における前記撮影頻度を定期的に算出し、キー表示の配置変更の制御を実行する、
ことを特徴とする請求項９記載の医用画像読取装置。
【請求項１１】
前記制御手段は、所定の月、週、曜日、時間帯毎に前記撮影頻度を定期的に算出し、所定の月、週、曜日、時間帯毎にキー表示の配置変更の制御を実行する、
ことを特徴とする請求項１０記載の医用画像読取装置。
【請求項１２】
変更を報知する報知手段を備え、
前記制御手段は、所定の期間もしくは時期に算出した撮影頻度に基づいてキー表示色の変更の制御を実行した場合に前記報知手段により報知を行う、
ことを特徴とする請求項６乃至請求項８のいずれかに記載の医用画像読取装置。
【請求項１３】
変更を報知する報知手段を備え、
前記制御手段は、所定の期間もしくは時期に算出した撮影頻度に基づいてキーの配置変更の制御を実行した場合に前記報知手段により報知を行う、
ことを特徴とする請求項９乃至請求項１１のいずれかに記載の医用画像読取装置。
【発明の詳細な説明】
【０００１】
【発明の属する技術分野】
本発明は被検体に関して医用画像を撮影もしくは読み取る装置に関し、特に、キー入力を行う際の操作性に配慮された医用画像読取装置にに関する。
【０００２】
【従来の技術】
Ｘ線などを用いた放射線画像は、病気診断用などの医用画像として多く用いられている。この放射線画像を得るために、被検体を透過したＸ線を蛍光体層（蛍光スクリーン）に照射し、これにより可視光を生じさせてこの可視光を通常の写真と同様に銀塩を使用したフィルムに照射して現像した、所謂、放射線写真が従来から多く利用されている。
【０００３】
しかし、近年、銀塩を塗布したフィルムを使用しないで、蛍光体層から直接画像を取り出す方法が工夫されるようになってきている。この方法としては、被検体を透過した放射線を蛍光体に吸収せしめ、しかる後、この蛍光体をたとえば光又は熱エネルギーで励起することによりこの蛍光体が上記吸収により蓄積している放射線エネルギーを蛍光として放射せしめ、この蛍光を光電変換して画像信号を得る方法がある。
【０００４】
具体的には、たとえば米国特許3,859,527 号及び特開昭55−12144 号公報等に、輝尽性蛍光体を用い可視光線又は赤外線を輝尽励起光とした放射画像変換方法が示されている。この方法は、支持体上に輝尽性蛍光体層を形成した放射画像変換パネルを使用するもので、この変換パネルの輝尽性蛍光体層に被検体を透過した放射線を当て、被検体各部の放射線透過度に対応する放射線エネルギーを蓄積させて潜像を形成し、しかる後、この輝尽層を輝尽励起光で走査することによって蓄積された放射線エネルギーを放射させてこれを光に変換し、この光信号を光電変換して放射線画像信号を得るものである。
【０００５】
このようにして得られた放射線画像信号は、そのままの状態で、或いは画像処理を施されて銀塩フィルム，ＣＲＴ等に出力されて可視化されたり、電子ファイリング装置にファイリングされる。
【０００６】
【発明が解決しようとする課題】
〔第１の課題〕
ところで、放射線画像の撮影や、撮影された画像の読み取りに際しては、オペレータが撮影や読み取りに関する操作手順を操作部から入力する必要がある。
【０００７】
従来の一般的な装置では、キー入力を検知するタッチパネルなどの検知手段と、該検知手段のキー入力の入力位置に対応させてキー表示を行うためにタッチパネルが表面に貼付されたディスプレイなどの表示手段と、によって構成される入力手段が設けられている。
【０００８】
そして、この入力手段で入力された操作手順に従って装置が撮影や読み取りを実行するようになっている。
【０００９】
なお、一般的には、キーの表示は単色であり、その配置は装置固有のものであった。もしくは、装置に対して、オペレータあるいはサービスマンが予め設定したキー配置になっていた。
【００１０】
このような場合、たとえば、撮影部位（頭部，頸部，胸部，腹部，脊椎，上肢，下肢，…）に関しても２００種類以上になることがある。このため、１画面では表示しきれず、ページ送りをして画面を切り換えて所望の部位を探す必要が生じていた。このため、操作が繁雑になり、所望の部位を探して決定するまでに多大な時間を必要としていた。また、１画面で一覧縮小表示することも考えられるが、使い勝手が良くない問題がある。
【００１１】
また、撮影部位と同様に他の項目に関しても、多くの選択項目が存在するものについては、同様の問題が生じていた。
【００１２】
なお、オペレータが所望のキー配置の設定を行った場合であっても、時間の経過や使用状態の変化に伴って使用頻度の高い項目が変化した場合には、キー配置の再設定をしなければ効率の良い入力を行えないという問題も生じていた。すなわち、学習機能のような機能は備わっていなかった。
【００１３】
また、設定を行う場合には、撮影部位や使用頻度を別途計算して求める必要が生じる。さらに、月、週、曜日毎に撮影部位や使用頻度が変化することも十分考えられるが、単純に頻度を計算したのでは、細かな状態（月末に特定の項目の頻度が高くなる等）には対応することができなかった。
【００１４】
〔第２の課題〕
なお、緊急性を要する撮影の場合であっても、撮影する前に、撮影部位名称、撮影部位についての画像処理条件等のオーダ情報を入力する必要がある。すなわち、撮影部位によって、フィルムに記録された信号のレベルは異なっているため、予め撮影部位等のオーダ情報を決定しておくことで、フィルムから適切な信号レベルで読み取りと画像処理とを実行するようにしている。なお、このように撮影前にオーダ情報を入力する必要があるため、実際に撮影を開始するまでに多大な時間が必要であった。
【００１５】
また、フィルムを内蔵したカセッテを用いて、撮影装置で撮影し、読取リーダで読み取るという放射線画像システムが存在している。このような放射線画像システムの場合、複数のカセッテを用いた場合、オーダ情報入力、撮影、読み取り、の順序になるが、撮影と読み取りが別な装置で実行されることにより、複数のカセッテのそれぞれがどの撮影に関するものかが分からなくなることがある。
【００１６】
本発明は以上の第１の課題に鑑みてなされたものであって、特別な設定をすることなく、撮影や読み取りに関するキー入力を容易にすることが可能な医用画像読取装置を実現することを第１の目的とする。
【００１８】
【課題を解決するための手段】
上記課題を解決する本発明は以下に示すものである。
【００１９】
（１）請求項１記載の発明は、医用画像の撮影もしくは読み取りの操作に対応できるキー表示を行う表示手段と、前記撮影もしくは読み取りの操作に基づいて医用画像の撮影もしくは読み取りを制御すると共に、前記表示手段でのキー表示を制御する制御手段と、前記制御手段の制御に基づいて医用画像の撮影もしくは読み取りを実行する実行手段とを備え、前記制御手段は、撮影部位のグループ毎にキー表示の表示色を変更する制御を実行する、ことを特徴とする医用画像読取装置である。
【００２０】
この発明では、撮影部位のグループ毎にキー表示の表示色を変更しているため、撮影部位のグループのまとまりを容易に把握できるようになり、目的とする撮影部位を容易に発見できる。このため、撮影や読み取りに関する操作が容易になる。
【００２１】
（２）請求項２記載の発明は、医用画像の撮影もしくは読み取りの操作に対応できるキー表示を行う表示手段と、前記撮影もしくは読み取りの操作に基づいて医用画像の撮影もしくは読み取りを制御すると共に、前記表示手段でのキー表示を制御する制御手段と、前記制御手段の制御に基づいて医用画像の撮影もしくは読み取りを実行する実行手段とを備え、前記制御手段は、読取リーダ毎にキー表示の表示色を変更する制御を実行する、ことを特徴とする医用画像読取装置である。
【００２２】
この発明では、読取リーダ毎にキー表示の表示色を変更しているため、複数の読取リーダの区別を容易に把握できるようになり、目的とする読取リーダを容易に発見できる。このため、撮影や読み取りに関する操作が容易になる。
【００２３】
（３）請求項３記載の発明は、医用画像の撮影もしくは読み取りの操作に対応できるキー表示を行う表示手段と、前記撮影もしくは読み取りの操作に基づいて医用画像の撮影もしくは読み取りを制御すると共に、前記表示手段でのキー表示を制御する制御手段と、前記制御手段の制御に基づいて医用画像の撮影もしくは読み取りを実行する実行手段とを備え、前記制御手段は、撮影頻度毎にキー表示の表示色を変更する制御を実行する、ことを特徴とする医用画像読取装置である。
【００２４】
この発明では、撮影頻度毎にキー表示の表示色を変更しているため、撮影頻度の高い項目が複数画面の一番前の画面に表示されるようになり、撮影や読み取りに関する操作が容易になる。
【００２５】
（４）請求項４記載の発明は、医用画像の撮影もしくは読み取りに関する操作のキー入力を検知する検知手段と、前記検知手段のキー入力に対応させてキー表示を行う表示手段と、前記キー入力に基づいて医用画像の撮影もしくは読み取りを制御すると共に、前記表示手段でのキー表示を制御する制御手段と、前記制御手段の制御に基づいて医用画像の撮影もしくは読み取りを実行する実行手段とを備え、前記制御手段は、撮影部位のグループ毎にキー表示の表示色を変更する制御を実行する、ことを特徴とする医用画像読取装置である。
【００２６】
この発明では、撮影部位のグループ毎にキー表示の表示色を変更しているため、撮影部位のグループのまとまりを容易に把握できるようになり、目的とする撮影部位を容易に発見できる。このため、撮影や読み取りに関するキー入力が容易になる。
【００２７】
（５）請求項５記載の発明は、医用画像の撮影もしくは読み取りに関する操作のキー入力を検知する検知手段と、前記検知手段のキー入力に対応させてキー表示を行う表示手段と、前記キー入力に基づいて医用画像の撮影もしくは読み取りを制御すると共に、前記表示手段でのキー表示を制御する制御手段と、前記制御手段の制御に基づいて医用画像の撮影もしくは読み取りを実行する実行手段とを備え、前記制御手段は、読取リーダ毎にキー表示の表示色を変更する制御を実行する、ことを特徴とする医用画像読取装置である。
【００２８】
この発明では、読取リーダ（立位／臥位、カセッテ／ＦＤ）毎にキー表示の表示色を変更しているため、複数の読取リーダの区別を容易に把握できるようになり、目的とする読取リーダを容易に発見できる。このため、撮影や読み取りに関するキー入力が容易になる。
【００２９】
（６）請求項６記載の発明は、医用画像の撮影もしくは読み取りに関する操作のキー入力を検知する検知手段と、前記検知手段のキー入力に対応させてキー表示を行う表示手段と、前記キー入力に基づいて医用画像の撮影もしくは読み取りを制御すると共に、前記表示手段でのキー表示を制御する制御手段と、前記制御手段の制御に基づいて医用画像の撮影もしくは読み取りを実行する実行手段とを備え、前記制御手段は、撮影頻度毎にキー表示の表示色を変更する制御を実行する、ことを特徴とする医用画像読取装置である。
【００３０】
この発明では、撮影頻度毎にキー表示の表示色を変更しているため、撮影頻度の高い項目が複数画面の一番前の画面に表示されるようになり、撮影や読み取りに関するキー入力が容易になる。
【００３１】
（７）請求項７記載の発明は、前記制御手段は、所定の期間における前記撮影頻度を定期的に算出し、キー表示色の変更の制御を実行する、ことを特徴とする請求項６記載の医用画像読取装置である。
【００３２】
この発明では、所定の期間で自動的に計算して求めた撮影頻度毎にキー表示の表示色を変更しているため、該当する所定の期間に撮影頻度の高い項目が複数画面の一番前の画面に表示されるようになり、撮影や読み取りに関するキー入力が容易になる。
【００３３】
（８）請求項８記載の発明は、前記制御手段は、所定の月、週、曜日、時間帯毎に前記撮影頻度を定期的に算出し、所定の月、週、曜日、時間帯毎にキー表示色の変更の制御を実行する、ことを特徴とする請求項７記載の医用画像読取装置である。
【００３４】
この発明では、所定の月、週、曜日、時間帯毎に自動的に計算して求めた撮影頻度を基準にして、所定の月、週、曜日、時間帯毎にキー表示の表示色を変更しているため、その期間に撮影頻度の高い項目が複数画面の一番前の画面に表示されるようになり、撮影や読み取りに関するキー入力が容易になる。
【００３５】
（９）請求項９記載の発明は、医用画像の撮影もしくは読み取りに関する操作のキー入力を検知する検知手段と、前記検知手段のキー入力に対応させてキー表示を行う表示手段と、前記キー入力に基づいて医用画像の撮影もしくは読み取りを制御すると共に、前記表示手段でのキー表示を制御する制御手段と、前記制御手段の制御に基づいて医用画像の撮影もしくは読み取りを実行する実行手段とを備え、前記制御手段は、撮影頻度毎にキー表示の配置を変更する制御を実行する、ことを特徴とする医用画像読取装置である。
【００３６】
この発明では、撮影頻度に応じてキー表示の配置を変更しているため、目的とする撮影部位を容易に発見できる。このため、撮影や読み取りに関するキー入力が容易になる。
【００３７】
（１０）請求項１０記載の発明は、前記制御手段は、所定の期間における前記撮影頻度を定期的に算出し、キー表示の配置変更の制御を実行する、ことを特徴とする請求項９記載の医用画像読取装置である。
【００３８】
この発明では、所定の期間で自動的に計算して求めた撮影頻度毎にキー表示の配置を変更しているため、該当する所定の期間に撮影頻度の高い項目が複数画面の一番前の画面に表示されるようになり、撮影や読み取りに関するキー入力が容易になる。
【００３９】
（１１）請求項１１記載の発明は、前記制御手段は、所定の月、週、曜日、時間帯毎に前記撮影頻度を定期的に算出し、所定の月、週、曜日、時間帯毎にキー表示の配置変更の制御を実行する、ことを特徴とする請求項１０記載の医用画像読取装置である。
【００４０】
この発明では、所定の月、週、曜日、時間帯毎に自動的に計算して求めた撮影頻度を基準にして、所定の月、週、曜日、時間帯毎にキー表示の配置を変更しているため、その期間に撮影頻度の高い項目が複数画面の一番前の画面に表示されるようになり、撮影や読み取りに関するキー入力が容易になる。
【００４１】
（１２）請求項１２記載の発明は、変更を報知する報知手段を備え、前記制御手段は、所定の期間もしくは時期に算出した撮影頻度に基づいてキー表示色の変更の制御を実行した場合に前記報知手段により報知を行う、ことを特徴とする請求項６乃至請求項８のいずれかに記載の医用画像読取装置である。
【００４２】
この発明では、撮影頻度毎にキー表示の表示色を変更しているため、撮影や読み取りに関するキー入力が容易になると共に、キー表示の表示色の変更が自動実行されたことを報知する機能を備えるためオペレータがキー表示の変更の有無を知ることが可能になる。
【００４３】
（１３）請求項１３記載の発明は、変更を報知する報知手段を備え、前記制御手段は、所定の期間もしくは時期に算出した撮影頻度に基づいてキーの配置変更の制御を実行した場合に前記報知手段により報知を行う、ことを特徴とする請求項９乃至請求項１１のいずれかに記載の医用画像読取装置である。
【００４４】
この発明では、撮影頻度毎にキー表示の配置を変更しているため、撮影や読み取りに関するキー入力が容易になると共に、キー表示の配置変更が自動実行されたことを報知する機能を備えるためオペレータがキー表示の変更の有無を知ることが可能になる。
【００４９】
【発明の実施の形態】
まず、本発明の実施の形態例について図を用いて詳細に説明する。まず、本実施の形態例の医用画像読取装置の構成について説明する。
【００５０】
〔第１の実施の形態例〕
医用画像読取装置の構成：
図１は、医用画像読取装置の全体構成を示すシステム構成図である。放射線発生器３０はコントローラ１０によって制御されており、放射線発生器３０から放射された放射線は、被検体５を通して放射線画像読取器４０の前面に装着されている撮像パネル４１に照射される。
【００５１】
ここで、図２により放射線画像読取器４０に設けられている撮像パネル４１の構成を説明する。この撮像パネル４１は所定の剛性を得られるだけの厚みを有する基板を有しており、この基板上には照射された放射線の線量に応じて電気信号を出力する検出素子４１２-(1,1)〜４１２-(m,n)がマトリクス状に２次元配置されている。また、走査線４１５-1〜４１５-mと信号線４１６-1〜４１６-nがたとえば直交するように配設される。
【００５２】
撮像パネル４１の走査線４１５-1〜４１５-mは、走査駆動部４４と接続されている。走査駆動部４４から走査線４１５-1〜４１５-mのうちの１つ走査線４１５-p（pは1〜mのいずれかの値）に読出信号ＲＳが供給されると、この走査線４１５-pに接続された検出素子から照射された放射線の線量に応じた電気信号ＳＶ-1〜ＳＶ-nが出力されて、信号線４１６-1〜４１６-nを介して画像データ生成回路４６に供給される。
【００５３】
この検出素子４１２は、照射された放射線の線量に応じた電気信号を出力するものであればよい。たとえば放射線が照射されたときに電子−正孔対が生成されて抵抗値が変化する光導電層を用いて検出素子が形成されている場合、この光導電層で生成された放射線量に応じた量の電荷が電荷蓄積コンデンサに蓄えられて、この電荷蓄積コンデンサに蓄えられた電荷が電気信号として画像データ生成回路４６に供給される。なお、光導電層としては暗抵抗値が高いものが望ましく、アモルファスセレン、酸化鉛、硫化カドミウム、ヨウ化第２水銀、または光導電性を示す有機材料（Ｘ線吸収コンパウンドが添加された光伝導性ポリマを含む）などが用いられ、特にアモルファスセレンが望ましい。
【００５４】
また、検出素子４１２が、たとえば放射線が照射されることにより蛍光を生ずるシンチレータ等を用いて形成されている場合、フォトダイオードでこのシンチレータで生じた蛍光強度に基づく電気信号を生成して画像データ生成回路４６に供給するものとしてもよい。
【００５５】
画像データ生成回路４６では、後述する読取制御回路４８からの出力制御信号ＳＣに基づいて供給された電気信号ＳＶを順次選択して、ディジタルの画像データＤＴに変換する。この画像データＤＴは読取制御回路４８に供給される。
【００５６】
読取制御回路４８はコントローラ１０と接続されており、コントローラ１０から供給された制御信号ＣＴＤに基づいて走査制御信号ＲＣや出力制御信号ＳＣを生成する。この走査制御信号ＲＣが走査駆動部４４に供給されて、走査制御信号ＲＣに基づき走査線４１５-1〜４１５-mに対しての読出信号ＲＳの供給が行われる。
【００５７】
また、出力制御信号ＳＣは画像データ生成回路４６に供給される。この読取制御回路４８からの走査制御信号ＲＣや出力制御信号ＳＣによって、たとえば撮像パネル４１が上述のように（ｍ×ｎ）個の検出素子４１２で構成されている場合には、検出素子４１２-(1,1)〜４
１２-(m,n)からの電気信号ＳＶに基づくデータをデータＤＰ(1,1)〜ＤＰ(m,n)とすると、データＤＰ(1,1)、ＤＰ(1,2)、……ＤＰ（1,n)、ＤＰ(2,1)、……、ＤＰ(m,n)の順として画像データＤＴが生成されて、この画像データＤＴが画像データ生成回路４６から読取制御回路４８に供給される。また、読取制御回路４８では、この画像データＤＴをコントローラ１０に送出する処理も行う。
【００５８】
放射線画像読取器４０で得られた画像データＤＴは、読取制御回路４８を介してコントローラ１０に供給される。なお、放射線画像読取器４０で得られた画像データをコントローラ１０に供給する際に対数変換処理を行った画像データを供給すれば、コントローラ１０における画像データの処理を簡単とすることができる。
【００５９】
また、図１において、コントローラ１０の動作を制御するためのＣＰＵ１１には、システムバス１２と画像バス１３が接続されると共に入力インタフェース１７が接続される。このコントローラ１０の動作を制御するためのＣＰＵ１１は、メモリ１４に記憶された制御プログラムに基づいて動作が制御される。
【００６０】
システムバス１２と画像バス１３には、表示制御部１５、フレームメモリ制御部１６、出力インタフェース１８、撮影制御部１９、ディス制御部２０等が接続されており、システムバス１２を利用しＣＰＵ１１によって各部の動作が制御されると共に、画像バス１３を介して各部間での画像データの転送等が行われる。
【００６１】
フレームメモリ制御部１６には、フレームメモリ２１が接続されており、放射線画像読取器４０で得られた画像データが撮影制御部１９やフレームメモリ制御部１６を介して記憶される。フレームメモリ２１に記憶された画像データは読み出されて表示制御部１５やディスク制御部２０に供給される。また、フレームメモリ２１には、放射線画像読取器４０から供給された画像データをＣＰＵ１１で処理してから記憶するものとしてもよい。
【００６２】
表示制御部１５には、画像表示装置２２が接続されており画像表示装置２２の画面上に表示制御部１５に供給された画像データに基づく放射線撮影画像が表示される。ここで、放射線画像読取器４０の画素数よりも画像表示装置２２の表示画素数が少ない場合には、画像データを間引きして読み出すことにより、画面上に撮影画像全体を表示させることができる。また、画像表示装置２２の表示画素数分に相当する領域の画像データを読み出すものとすれば、所望の位置の撮影画像を詳細に表示させることができる。
【００６３】
また、表示制御部１５は、入力装置２７のタッチパネルでのキー入力位置に対応させてキー表示を行うための表示制御も行っている。
【００６４】
フレームメモリ２１からディスク制御部２０に画像データが供給される際には、たとえば連続して画像データが読み出されてディスク制御部２０内のＦＩＦＯメモリに書き込まれ、その後順次ディスク装置２３に記録される。
【００６５】
さらに、フレームメモリ２１から読み出された画像データやディスク装置２３から読み出された画像データを出力インタフェース１８を介して外部機器１００に供給することもできる。
【００６６】
画像処理部２６では、放射線画像読取器４０から撮影制御部１９を介して供給された画像データＤＴの照射野認識処理、関心領域設定、正規化処理および階調処理、ならびにこれらの処理の良否判定処理などが行われる。また、周波数強調処理やダイナミックレンジ圧縮処理等を行うものとしてもよい。なお、画像処理部２６をＣＰＵ１１が兼ねる構成として、画像処理等を行うこともできる。
【００６７】
入力インタフェース１７にはタッチパネル等の入力装置２７が接続される。この入力装置２７を操作することで、医用画像の撮影もしくは読み取りに関する操作のキー入力が行われる。
【００６８】
この実施の形態例では、透明なタッチパネル２７ａ（図示せず）の直下に配置された表示手段２７ｂ（図示せず）がキー表示を実行するような構成になっているものとする。
【００６９】
出力インタフェース１８に接続される外部機器１００としては、レーザーイメージャとも呼ばれる走査型レーザ露光装置が用いられる。この走査型レーザ露光装置では、画像データによりレーザビーム強度を変調し、従来のハロゲン化銀写真感光材料や熱現象ハロゲン化銀写真感光材に露光したあと適切な現像処理を行うことによって放射線画像のハードコピーが得られるものである。
【００７０】
なお、フレームメモリ２１には、放射線画像読取器４０から供給された画像データを記憶するものとしたが、供給された画像データをＣＰＵ１１で処理してから記憶するものとしてもよい。また、ディスク装置２３には、フレームメモリ２１に記憶されている画像データ、すなわち放射線画像読取器４０から供給された画像データやその画像データをＣＰＵ１１で処理した画像データを、管理情報などと共に保存することができる。
【００７１】
図３は本実施の形態例の装置の外観を示す概略構成図である。この図３では、オペレータが操作の入力を行う入力装置２７としてのタッチパネル２７ａと、画像表示装置２２とが示されている。
【００７２】
なお、以上の実施の形態例の構成では、撮像パネル４１を用いて撮影した画像データＤＴを電気的にやり取りする撮影装置であった。これに対し、フィルムを内蔵したカセッテを用いて、撮影装置で撮影し、読取リーダで読み取るという放射線画像システムも存在している。このような放射線画像システムであっても、本発明の実施の形態例を適用することが可能である。なお、このように読取リーダで読み取るシステムの場合に、複数の読取リーダが存在する場合に、特に本実施の形態例の効果を発揮する。
【００７３】
医用画像読取装置の動作：
ここで、以上の構成の医用画像読取装置の動作について、図４のフローチャートと、図５以降の説明図を参照して説明する。なお、図５以降は入力装置２７のタッチパネルでのキー入力位置に対応させてキー表示を行っている状態の表示例を示す説明図である。
【００７４】
まず、装置の電源が投入された時点で、ＣＰＵ１１はメモリ１４に格納されている現時点での標準メニュー画面のデータを読み込む（図４Ｓ１）。ここで、標準メニュー画面のデータとは、タッチパネル２７ａ（図示せず）のキー入力位置に対応させて、各キーの名称表示（キー表示）を行うための、キー名称と表示位置との対応関係のデータである。
【００７５】
そして、ＣＰＵ１１は読み込んだ標準メニュー画面のデータに従って、タッチパネル２７ａの直下に配置された表示手段２７ｂ（図示せず）でキー表示を実行する（図４Ｓ２）。
【００７６】
図５は使用頻度によって変更される前の初期状態（装置出荷時の状態）の標準メニュー画面のデータに従ったキー表示による撮影条件設定画面の一例を示している。
【００７７】
ここで、この撮影条件設定画面では、
・撮影対象となる部位の大分類（頭部，頸部，胸部，腹部，脊椎，胸郭，上肢，下肢など）
・撮影部位のグループ（大分類に属する具体的部位：大分類が頭部であれば、頭蓋骨，トルコ鞍，副鼻腔，聴器，視神経管など）
・各種撮影条件（撮影方向，撮影角度，造影の有無など）
が表示される。
【００７８】
この初期状態では、大分類の候補と、大分類の１番目である頭部について撮影部位のグループと、頭部を撮影する場合の撮影条件の候補と、が表示されている。
【００７９】
そして、オペレータによるキー入力があれば、そのキー入力に応じたキーコードあるいは入力位置データを入力インタフェース１７を介してＣＰＵ１１が取り込む。そして、ＣＰＵ１１はキー入力に従って、処理を実行する（図４Ｓ３）。この実施の形態例の場合、キー入力に従って撮影条件の設定が実行される。
【００８０】
そして、各キー入力がなされるごとに、ＣＰＵ１１はキー入力に関する頻度データベースを更新する（図４Ｓ５）。
【００８１】
この場合、キー入力の種別だけでなく、年月日時刻データ、オペレータ氏名データなどもキー入力の種別に合わせてデータベースに格納しておく。
【００８２】
ここで、ＣＰＵ１１はデータベース処理プログラムに従って、一定期間毎に頻度の高いキー入力、特定の日（月末の金曜日，月初めの月曜日など）に頻度が高くなるキー入力、特定の時刻（朝一番、午後一番など）に頻度が高くなるキー入力、ある特定のオペレータについて頻度が高くなるキー入力、などが存在していれば、頻度の高いキー入力を対応する条件（一定期間，特定日，特定時刻，特定オペレータ）と共にテーブルとして出力する。
【００８３】
そして、前記テーブルに該当する条件（一定期間が経過，特定日に該当，特定時刻に該当，特定オペレータが操作中）が合致した場合（図４Ｓ６でＹＥＳ）には、その頻度の高いキー入力が複数画面の先頭に来るように、あるいは頻度に従って色を変更するように、頻度に従って標準メニュー画面を変更する（図４Ｓ７）。
【００８４】
図６は一定期間内に特定のキー入力（頭蓋骨：Ａ→Ｐ，Ｐ→Ａ，ＬＡＴ、副鼻腔：Ｐ→Ａ，ＬＡＴ）の頻度が高いとＣＰＵ１１が判断して、表示色を変更して新たに作成した標準メニュー画面のデータの一例を示している。ここでは、表示色の違いをハッチングで模式的に示しており、頻度が高いキーを目立つ色、明るい色、点滅表示などで表示することが望ましい。
【００８５】
図７は一定期間内に特定のキー入力（頭蓋骨：Ａ→Ｐ，Ｐ→Ａ，ＬＡＴ、副鼻腔：Ｐ→Ａ，ＬＡＴ）の頻度が高いとＣＰＵ１１が判断して、表示色を変更した（図６参照）後にさらに配置を変更して新たに作成した標準メニュー画面のデータの一例を示している。ここでは、表示色の違いをハッチングで模式的に示しており、頻度が高いキーを目立つ色，明るい色，点滅表示で表示すると共に、複数画面の第１画面、同じ画面の上方などにまとめて表示するようにした例を示している。
【００８６】
このように、特定の月、週、曜日、時間帯毎に自動的に計算して求めた撮影頻度を基準にして、特定の月、週、曜日、時間帯毎にキー表示の表示色またはキー表示の配置を変更しているため、その期間に撮影頻度の高い項目が特定の色、あるいは、複数画面の一番前の画面に表示されるようになり、撮影や読み取りに関するキー入力が容易になる。
【００８７】
そして、以上のようなキー表示の表示色あるいは配置の変更が発生した場合には、ＣＰＵ１１は音あるいは画面上でオペレータに対して報知を行う（図４Ｓ８）。このように、キー表示の表示色あるいは配置の変更が自動実行されたことを報知する機能を備えるため、オペレータがキー表示の変更の有無を確実に知ることが可能になる。
【００８８】
なお、以上の場合のキー表示の変更として以下のような態様が考えられる。
【００８９】
▲１▼撮影部位のグループ毎にキー表示の表示色を変更する制御を実行する。このように、撮影部位のグループ毎にキー表示の表示色を変更することで、撮影部位のグループのまとまりを容易に把握できるようになり、目的とする撮影部位を容易に発見できる。このため、撮影や読み取りに関するキー入力が容易になる。
【００９０】
▲２▼複数の読取リーダが接続されている場合、読取リーダ毎にキー表示の表示色を変更する制御を実行する。このようにすることで、読取リーダ毎にキー表示の表示色を変更することで、複数の読取リーダの区別を容易に把握できるようになり、目的とする読取リーダを容易に発見できる。このため、撮影や読み取りに関するキー入力が容易になる。
【００９１】
▲３▼撮影頻度毎にキー表示の表示色を変更する制御を実行する。このようにすることで、撮影頻度毎にキー表示の表示色を変更することで、撮影頻度の高い項目が複数画面の一番前の画面に表示されるようになり、撮影や読み取りに関するキー入力が容易になる。
【００９２】
▲４▼所定の期間における前記撮影頻度を定期的に算出し、キー表示色の変更の制御を実行する。このようにすることで、所定の期間で自動的に計算して求めた撮影頻度毎にキー表示の表示色を変更することで、該当する所定の期間に撮影頻度の高い項目が複数画面の一番前の画面に表示されるようになり、撮影や読み取りに関するキー入力が容易になる。
【００９３】
▲５▼所定の月、週、曜日、時間帯毎に前記撮影頻度を定期的に算出し、所定の月、週、曜日、時間帯毎にキー表示色の変更の制御を実行する。このように所定の月、週、曜日、時間帯毎に自動的に計算して求めた撮影頻度を基準にして、所定の月、週、曜日、時間帯毎にキー表示の表示色を変更することで、その期間に撮影頻度の高い項目が複数画面の一番前の画面に表示されるようになり、撮影や読み取りに関するキー入力が容易になる。
【００９４】
▲６▼撮影頻度毎にキー表示の配置を変更する制御を実行する。このように撮影頻度に応じてキー表示の配置を変更することで、撮影頻度の高い撮影部位を容易に発見できる。このため、撮影や読み取りに関するキー入力が容易になる。なお、このような撮影頻度に応じたキー表示の変更をオペレータ毎に実行することも望ましい。
【００９５】
▲７▼所定の期間における前記撮影頻度を定期的に算出し、キー表示の配置変更の制御を実行する。このようにすることで、所定の期間で自動的に計算して求めた撮影頻度毎にキー表示の配置を変更することで、該当する所定の期間に撮影頻度の高い項目が複数画面の一番前の画面に表示されるようになり、撮影や読み取りに関するキー入力が容易になる。
【００９６】
▲８▼所定の月、週、曜日、時間帯毎に前記撮影頻度を定期的に算出し、所定の月、週、曜日、時間帯毎にキー表示の配置変更の制御を実行する。このようにすることで、所定の月、週、曜日、時間帯毎に自動的に計算して求めた撮影頻度を基準にして、所定の月、週、曜日、時間帯毎にキー表示の配置を変更することで、その期間に撮影頻度の高い項目が複数画面の一番前の画面に表示されるようになり、撮影や読み取りに関するキー入力が容易になる。
【００９７】
〔第２の実施の形態例〕
この第２の実施の形態例では、緊急性を要する撮影の場合に、オーダ情報入力による撮影開始までの時間を短縮可能なシステムについて説明する。
【００９８】
従来は、撮影する前に、撮影部位名称、撮影部位についての画像処理条件等のオーダ情報を入力する必要があったため、実際に撮影を開始するまでに多大な時間が必要であり、問題となっていた。
【００９９】
そこで、本実施の形態例では以下のように構成している。なお、この実施の形態例では、図１のようにＸ線画像検出器と読み取り装置が一体化した装置を例に説明する。
【０１００】
まず、この装置を用いて１患者について複数画像を撮影する。そして、入力装置２７を介して、通常の撮影モード（請求項における第１の撮影モード）から緊急撮影モード（請求項における第２の撮影モード）に切り替える。この緊急撮影モードに切り替えられると、ＣＰＵ１１は撮影のオーダ情報が入力装置２７から入力されていない状態で、読み取り動作を開始する。
【０１０１】
すなわち、緊急撮影モードへの切り替え（図８Ｓ１）に伴って撮影をおこない（図８Ｓ２）、放射線画像読取器４０でＸ線画像の読み取りをおこなう（図８Ｓ３）。この時点での読み取りのための条件は、オーダ情報がない状態であるので、汎用性の高い条件とする。たとえば、読み取り領域はその装置で使用可能な最大サイズとする。他の条件に関しても、なるべく種々の状態をカバーできる条件としておく。
【０１０２】
そして、正確なポジションで撮影されたかについて確認（図８Ｓ４）がおこなえるよう、暫定的な画像処理を施す。そして、この暫定的な画像処理を施した状態で撮影のポジションの確認のために画像表示装置２２に画像表示を行う。
【０１０３】
以上の撮影と読み取りと画像の確認とを、必要な撮影枚数分だけ繰り返すようにする（図８Ｓ５）。
【０１０４】
必要な画像の撮影の終了後、それぞれの個々の画像について、オーダ情報を入力する（図８Ｓ６）。このオーダ情報にはたとえば撮影部位名称、部位について最適化された画像処理条件、さらに画像出力のための出力条件などの設定がある。
このオーダ情報に基づき、画像処理を施し（図８Ｓ７）、プリンタ、ネットワーク等に出力する（図８Ｓ８）。
【０１０５】
以上のような手順で操作することで、撮影に失敗した場合の再撮影をおこなうを時間を含めたとしても、患者を撮影室から帰すまでの時間（総撮影時間）を大幅に短縮できる。
【０１０６】
また撮影後にオーダ情報を入力することで、あらかじめ撮影順序を決めることなく、自由な順序で撮影することができる。このため、ポジションの変更が難しい等の理由で患者の状態により撮影順序を途中で変更した方が撮影が容易な場合、順序を容易に変更し撮影できる。
【０１０７】
〔第３の実施の形態例〕
また、フィルムを内蔵したカセッテを用いて、撮影装置で撮影し、読取リーダで読み取るという放射線画像システムが存在している。このような放射線画像システムの場合、複数のカセッテを用いた場合、オーダ情報入力、撮影、読み取り、の順序になるが、撮影と読み取りが別な装置で実行されることにより、複数のカセッテのそれぞれがどの撮影に関するものかが分からなくなることがある。
【０１０８】
そこで、第３の実施の形態例では、撮影された複数のカセッテの内容を把握してオーダ情報入力可能な医用画像読取装置を実現する。
【０１０９】
撮影装置において、複数または単数のカセッテを用い、撮影をおこなう（図９Ｓ１）。次に読み取り装置でカセッテにより読み取りをおこなう（図９Ｓ２）。この場合の読み取りのための条件は、汎用性の高い条件としておく。たとえば、読み取り領域はその装置で使用可能な最大サイズ、またはカセッテのサイズと同じとする。
【０１１０】
なお、正確なポジションで撮影されたか確認がおこなえるよう、暫定的な画像処理を施しておく。そして、上記撮影と読み取りを必要枚数だけ繰り返す（図９Ｓ３）。
【０１１１】
必要な画像の撮影の終了後、それぞれの画像について、オーダー情報を入力する（図９Ｓ４）。このオーダー情報にはたとえば撮影部位名称、部位について最適化された画像処理、さらに出力のための設定がある。
【０１１２】
このオーダー情報に基づき、画像処理を施し（図９Ｓ５）、プリンタ、ネットワーク等に出力する（図９Ｓ６）。
【０１１３】
以上のような手順で操作することで、撮影に失敗した場合の再撮影をおこなうを時間を含めたとしても、患者を撮影室から帰すまでの時間（総撮影時間）を大幅に短縮できる。
【０１１４】
また、従来は、同一患者の撮影において、胸部正面、胸部側面をそれぞれ１画像撮影した場合において、どちらのカセッテにどちらの画像が収納されているか常に厳密に管理する必要があった。しかし、以上のような手順を用いることで、どちらの画像が入っているか不朋となっても、撮影，読み取り後に確認してからオーダ情報を入力して出力が可能となる。
【０１１５】
すなわち、複数のカセッテを使用している場合であっても、読み取って撮影内容を確認することで、撮影された複数のカセッテの内容を把握してオーダ情報の入力が可能になる。
【０１１６】
〔その他の実施の形態例〕
カセッテの挿入や撮影終了や病院内情報システムなどからの通信によって、画面表示がなされる場合もある。そのような場合には、オペレータのキー入力は不要になり、オペレータは「ＯＫ」ボタンを押すだけになる。
【０１１７】
このため、医用画像の撮影もしくは読み取りの操作に対応できるキー表示を行う表示手段と、操作に基づいて医用画像の撮影もしくは読み取りを制御すると共に、表示手段でのキー表示を制御する制御手段と、制御手段の制御に基づいて医用画像の撮影もしくは読み取りを実行する実行手段とを備えた医用画像読取装置も本発明の一実施の形態例となる。
【０１１８】
【発明の効果】
以上詳細に説明したように本発明では、撮影部位のグループ毎にキー表示の表示色を自動的に変更しているため、撮影部位のグループのまとまりを容易に把握できるようになり、目的とする撮影部位を容易に発見できるようになる。このため、特別な設定を行うことなく、撮影や読み取りに関するキー入力が容易になる。
【０１１９】
また、本発明では、撮影頻度に応じてキー表示の配置を自動的に変更しているため、撮影頻度の高い撮影部位を容易に発見できるようになる。このため、特別な設定を行うことなく、撮影や読み取りに関するキー入力が容易になる。
【０１２０】
また、本発明では、読み取りに関するオーダ情報が入力される前に撮影と読み取りとを実行するようにしているため、緊急時などではオーダ情報入力による撮影開始までの時間を短縮可能になる。
【０１２１】
また、本発明では、読み取りに関するオーダ情報が入力される前に撮影と読み取りとを実行し、読み取った医用画像が確認された後に画像出力するようにしているため、複数のカセッテを使用している場合であっても、読み取って撮影内容を確認することで、撮影された複数のカセッテの内容を把握してオーダ情報の入力が可能になる。
【図面の簡単な説明】
【図１】本実施の形態例の医用画像読取装置の構成を示す構成図である。
【図２】本実施の形態例の放射線画像読取器の構成を示す構成図である。
【図３】本実施の形態例で使用する装置の外観構成の一例を示す説明図である。
【図４】本実施の第１の形態例の動作を示すフローチャートである。
【図５】本実施の形態例による画面の例を示す説明図である。
【図６】本実施の形態例による画面の例を示す説明図である。
【図７】本実施の形態例による画面の例を示す説明図である。
【図８】本実施の第２の形態例の動作を示すフローチャートである。
【図９】本実施の第３の形態例の動作を示すフローチャートである。
【符号の説明】
１０  コントローラ
２６  画像処理部
２８  認識処理部
３０  放射線発生器
４０  放射線画像読取器
４１  撮像パネル
４４  走査駆動部
４６  画像データ生成回路
４８  読取制御回路
【図１】
0003832173.tif 000002
【図２】
0003832173.tif 000003
【図３】
0003832173.tif 000004
【図４】
0003832173.tif 000005
【図５】
0003832173.tif 000006
【図６】
0003832173.tif 000007
【図７】
0003832173.tif 000008
【図８】
0003832173.tif 000009
【図９】
0003832173.tif 000010